(57)【要約】【課題】  本発明は、粘着層を交換可能な着脱式ワッペン状装飾体を提供することを課題とする。  また、本発明は、粘着シート部材を容易に交換することができる着脱式ワッペン状装飾体を提供することを課題とする。【解決手段】  取付対象に着脱可能に貼付される着脱式ワッペン状装飾体Ａであって、熱圧着層１２を有するワッペン本体１０と、このワッペン本体１０と前記取付対象の間に設けられる粘着シート部材２０と、を備え、前記粘着シート部材２０は、前記熱圧着層１２に粘着可能な第１の粘着層２１と、前記取付対象に粘着可能な第２の粘着層２２と、前記第１の粘着層２１と前記第２の粘着層２２の間に設けられる支持層２３と、を有していることを特徴とする構成となっている。【選択図】図１
2016153916.tif 000002
【特許請求の範囲】
【請求項１】
取付対象に着脱可能に貼付される着脱式ワッペン状装飾体であって、
熱圧着層を有するワッペン本体と、
このワッペン本体と前記取付対象の間に設けられる粘着シート部材と、を備え、
前記粘着シート部材は、前記熱圧着層に粘着可能な第１の粘着層と、
前記取付対象に粘着可能な第２の粘着層と、
前記第１の粘着層と前記第２の粘着層の間に設けられる支持層と、を有していることを特徴とする、着脱式ワッペン状装飾体。
【請求項２】
前記支持層は、着色されていることを特徴とする、請求項１に記載の着脱式ワッペン状装飾体。
【請求項３】
前記粘着シート部材は、着色された着色層をさらに有していることを特徴とする、請求項１又は請求項２に記載の着脱式ワッペン状装飾体。
【請求項４】
前記支持層は、ポリエチレンフィルムで形成されており、
このポリエチレンフィルムは、５０〜１００μｍの厚さに設定されていることを特徴とする、請求項１〜３の何れかに記載の着脱式ワッペン状装飾体。
【請求項５】
前記第１の粘着層及び前記第２の粘着層は、皮膚貼付用アクリル系粘着材であることを特徴とする、請求項１〜４の何れかに記載の着脱式ワッペン状装飾体。
【請求項６】
前記第１の粘着層及び前記第２の粘着層は、２．０〜３．０Ｎ／ｃｍの接着力を有していることを特徴とする、請求項１〜５の何れかに記載の着脱式ワッペン状装飾体。
【請求項７】
請求項１〜６の何れかに記載の着脱式ワッペン状装飾体の粘着シート部材。
【発明の詳細な説明】
【技術分野】
【０００１】
本発明は、取付対象に着脱可能に貼付される着脱式ワッペン状装飾体に関する。
【背景技術】
【０００２】
一般に、おしゃれを楽しむため、衣料品やバッグ、靴、帽子、スポーツ用品、各種小物等にワッペンを取付け、自分好みのデザインにカスタマイズすることが行われている。従来、この種のワッペンは、糸による縫い付けや接着剤等によって取付けられていた。
【０００３】
中でも、接着剤を利用するものとしては、裏面に感熱接着剤を塗布したワッペンが普及している。この感熱接着剤は、常温ではほとんど接着性を示さないが、熱アイロンなどにより熱を与えながら圧着し、自然冷却させることで所望の接着が達成される。このように、感熱接着剤を塗布したワッペンは、感熱接着剤の塗布面を布等の取付対象に当て、アイロンをかけることにより接着が達成されるという取扱の容易さから広く利用されている。
【０００４】
しかしながら、上記のような縫い付けや接着剤を用いる方法は、半永久的に接着することを想定しているため、取り外すことが極めて困難であり、流行や好みもしくはそれらの変化等に応じて、簡単に模様替えできるものではなかった。また、仮に取り外せたとしても取付対象の表面に針跡や接着跡が残ってしまうため、模様替えが事実上不可能であった。
【０００５】
このような状況に鑑み、貼付する位置を容易に変更することができ、取付対象の生地に針跡や接着跡などをつけることなく剥離することができる着脱自在のワッペン状刺繍装飾品が提案されている（特許文献１参照）。
【０００６】
特許文献１には、「常温で繰り返し使用可能な、特殊粘着エラストマーによる粘着シートを半永久的に接着した、あらゆる固形物に対して脱着自在のワッペン状刺繍装飾品」の技術が記載されている。このように、ワッペンに特殊粘着エラストマーの粘着シートを設けることにより、天然繊維や合成繊維・皮革等に施した刺繍装飾の脱着させることができ、簡単かつ生地に針跡や接着跡などをつけずに、流行や好みもしくはこれらの変化等に応じて、簡単に装飾の模様替えができるとされている。
【先行技術文献】
【特許文献】
【０００７】
【特許文献１】実開平７−１０７６７号公報
【発明の概要】
【発明が解決しようとする課題】
【０００８】
ところで、スポーツ観戦等においては、顔等の人間の皮膚にステッカーやペイントを施すことが行われている。このようなステッカーやペイントは、基本的にその場限りのものであり、観戦後はステッカーを剥がして捨てたり、ペイントを落としてしまうことがほとんどであった。
そこで、本発明者は、観戦時には人間の皮膚に貼付することができ、観戦後にはタオルや鞄等の持ち物に貼付する等して再使用することが望ましいと考えた。
【０００９】
特許文献１に記載の脱着自在のワッペン状刺繍装飾品は、貼付した箇所から剥がして、異なる箇所に再度貼付することができるものの、繰り返し使用している内に粘着シートが劣化して、粘着力が落ちてくることが想定される。
ところが、この特許文献１の粘着シートは接着剤によって刺繍装飾品に接着されているため、交換することが難しかった。
【００１０】
本発明は、上記実情に鑑みてなされた発明であり、粘着層を交換可能な着脱式ワッペン状装飾体を提供することを課題とする。
また、本発明は、粘着シート部材を容易に交換することができる着脱式ワッペン状装飾体を提供することを課題とする。
【課題を解決するための手段】
【００１１】
上記課題を解決するため、本発明に係る着脱式ワッペン状装飾体は、取付対象に着脱可能に貼付される着脱式ワッペン状装飾体であって、熱圧着層を有するワッペン本体と、このワッペン本体と前記取付対象の間に設けられる粘着シート部材と、を備え、前記粘着シート部材は、前記熱圧着層に粘着可能な第１の粘着層と、前記取付対象に粘着可能な第２の粘着層と、前記第１の粘着層と前記第２の粘着層の間に設けられる支持層と、を有していることを特徴とする。
【００１２】
このように、支持層の両面に粘着層を有する粘着シート部材を備えることにより、粘着シート部材の粘着力が低下した場合であっても、粘着シート部材を容易に交換することができる。
【００１３】
本発明の好ましい形態では、前記支持層は、着色されていることを特徴とする。
このように、支持層が着色されていることにより、粘着シート部材の外縁部の位置を目視で正確に把握することができる。そのため、粘着シート部材の交換時には、粘着シート部材の外縁部を集中的に剥がすことで容易に剥離させることができる。
【００１４】
本発明の好ましい形態では、前記粘着シート部材は、着色された着色層をさらに有していることを特徴とする。
このように、粘着シート部材が着色層をさらに有することにより、粘着シート部材の外縁部の位置を把握でき容易に剥がすことができる。
【００１５】
本発明の好ましい形態では、前記支持層は、ポリエチレンフィルムで形成されており、このポリエチレンフィルムは、５０〜１００μｍの厚さに設定されていることを特徴とする。
このように、支持層を５０〜１００μｍ厚のポリエチレンフィルムで形成することにより、粘着シート部材を容易に剥がすことができる。
【００１６】
本発明の好ましい形態では、前記第１の粘着層及び前記第２の粘着層は、皮膚貼付用アクリル系粘着材であることを特徴とする。
このように、粘着層に皮膚貼付用アクリル系粘着材を採用することにより、皮膚トラブルを起こすことなく人間の皮膚に貼付することができる。
【００１７】
本発明の好ましい形態では、前記第１の粘着層及び前記第２の粘着層は、２．０〜３．０Ｎ／ｃｍの接着力を有していることを特徴とする。なお、この接着力の値は、ポリプロピレン板に対して測定した場合の結果を示している。
このように、２．０〜３．０Ｎ／ｃｍの接着力を有していることにより、粘着時には容易に剥がれてしまうことがなく、交換時には取付対象の表面に大きなダメージを与えることなく容易に剥がすことができる。
【発明の効果】
【００１８】
本発明によれば、粘着層を交換可能な着脱式ワッペン状装飾体を提供することができる。
また、本発明によれば、粘着シートを容易に交換することができる着脱式ワッペン状装飾体を提供することができる。
【図面の簡単な説明】
【００１９】
【図１】本発明の実施形態１に係る着脱式ワッペン状装飾体の外観斜視図である
【図２】本発明の実施形態１に係る着脱式ワッペン状装飾体の断側面図である。
【図３】本発明の実施形態１に係る着脱式ワッペン状装飾体の使用状態を示す図である。
【図４】本発明の実施形態２に係る着脱式ワッペン状装飾体の断側面図である。
【図５】本発明の実施形態３に係る着脱式ワッペン状装飾体の断側面図である。
【発明を実施するための形態】
【００２０】
以下、本発明を図面に示した好ましい実施形態１〜３について図１〜５を用いて詳細に説明する。本発明の技術的範囲は、添付図面に示した実施形態に限定されるものではなく、特許請求の範囲に記載された範囲内において、適宜変更が可能である。
【００２１】
＜実施形態１＞
図１は、本発明の実施形態１に係る着脱式ワッペン状装飾体Ａの斜視図を示しており、図２は、図１の縦断面図を示している。図３は、本発明に係る着脱式ワッペン状装飾体Ａを革製品Ｋ（取付対象の一例）に取り付けた様子を示している。なお、図３においては、取付対象として革製品Ｋを例示したが、天然繊維や合成繊維・皮革はもとより、布製品をはじめ、人間の皮膚、木製品・合成樹脂製品・ガラス製品・金属製品・その他の鉱物製品に対しても取り付けることが可能である。
【００２２】
本発明の実施形態１に係る着脱式ワッペン状装飾体Ａは、熱圧着層１２を有するワッペン本体１０と、このワッペン本体１０と革製品Ｋの間に設けられる粘着シート部材２０と、を備えている。
【００２３】
ワッペン本体１０は、表面側が装飾された装飾層１１と、この装飾層１１の裏面側に設けられる熱圧着層１２と、を有している。このようにワッペン本体１０は、従来の熱アイロンによって布製品等に接着される熱圧着式のワッペンと同様の構成であるため、熱圧着層１２を熱アイロン等で溶かして取付対象に取り付けることもできる。本実施形態では、この装飾層１１がワッペンである例を示したが、ワッペン状であれば当然に適用する里ができ、例えば、アップリケやゼッケン、ステッカー等であっても良い。
【００２４】
熱圧着層１２としては、一般的な熱アイロンにより熱圧着されるワッペンに用いられる感熱接着剤を採用することができ、例えば、ナイロンフィルムやウレタンフィルム等の熱可塑性のホットメルト合成樹脂フィルムを例示することができる。
【００２５】
粘着シート部材２０は、熱圧着層１２に粘着可能な第１の粘着層２１と、取付対象に粘着可能な第２の粘着層２２と、第１の粘着層２１と第２の粘着層２２の間に設けられる支持層２３と、を有している。
この粘着シート２０の全体の厚さとしては、０．１〜０．２ｍｍ程度の厚さに設定されている。
【００２６】
第１の粘着層２１及び第２の粘着層２２しては、皮膚貼付用のアクリル系粘着材で形成されている。この皮膚貼付用のアクリル系粘着材の好ましい接着力の範囲は、ポリプロピレン板に対して接着力を測定した場合において、２．０〜４．０Ｎ／ｃｍであり、さらに好ましい範囲は、２．５〜３．０Ｎ／ｃｍである。接着力が２．０未満では粘着力が弱すぎるため、着脱式ワッペン状装飾体が物に接触した際等に取付対象から剥がれてしまう場合がある。一方で、接着力が４．０Ｎ／ｃｍを超えると粘着シート部材２０が剥がし難くなり、剥がす際に取付対象に接着跡等を残してしまうことがある。
なお、この皮膚貼付用のアクリル系粘着材は、かつらや付け爪等の固定に使用される粘着材である。
【００２７】
支持層２３は、ポリエチレンフィルムで形成されている。このポリエチレンフィルムの好ましい厚さの範囲は、５０〜１００μｍであり、さらに好ましい範囲は、７０〜８０μｍである。ポリエチレンフィルムの厚さが５０μｍ未満では、支持層２３が薄すぎて指で剥がすことが難しい場合がある。一方、ポリエチレンフィルムの厚さが１００μｍを超えると、ワッペン本体１０の形状に沿って加工しにくくなってしまう場合がある。また、支持層２３が厚くなりすぎると、着脱式ワッペン状装飾体Ａ全体が厚くなり、障害物等と接触した際に捲れやすくなってしまう。そのため、粘着シート部材２０に埃等が接触しやすくなり、粘着シート部材２０の劣化を速めてしまう。
【００２８】
支持層２３としてポリエチレンフィルムである例を示したが、ポリプロピレンやポリ塩化ビニル、ポリカーボネート、ポリエチレンテレフタレート等で形成されたフィルムを採用しても良い。
この支持層２３は、白色や黒色、有彩色等に着色されていることが望ましい。通常、上記のようなフィルムは、無職透明に形成されているため、どの領域に貼付されているか目視で確認することが難しい。そのため、支持層２３を着色することで、貼付領域を明確にすることができる。
【００２９】
本発明によれば、取り替え可能な粘着シート部材２０を備えることにより、取付対象への着脱（模様替え）を繰り返し粘着シート部材２０の粘着力が弱くなってきた際に、新しい粘着シート部材２０と交換することができ、粘着力の劣化による剥離を抑制することができる。そのため、スポーツ観戦時には人間の皮膚に貼付していたワッペン状装飾体を、粘着力の劣化を気にすることなく、タオルや鞄等の持ち物に貼付して再使用することができる。また、鞄などに貼付する場合には、何度も模様替えを行い、自分好みのデザインにカスタマイズしておしゃれを楽しむことができる。
【００３０】
また、本発明によれば、第１の粘着層２１と第２の粘着層２２に、皮膚貼付用のアクリル系粘着材を採用することにより、人間の皮膚に皮膚かぶれ等の皮膚トラブルが発生することを抑制することができる。すなわち、皮膚かぶれの原因となる機械的刺激やアレルギー物質、化学的刺激の少ない皮膚貼付用のアクリル系粘着材を採用することにより、安心して皮膚に粘着させることができる。
【００３１】
また、本発明によれば、支持層２３が着色されていることにより、熱圧着層１２のどの領域に粘着シート部材２０が貼付されているかを目視することできる。そのため、粘着シート部材２０の外縁部の位置を正確に把握することができ、容易に剥がすことができる。
【００３２】
また、本発明によれば、ワッペン本体１０を気に入った位置に熱圧着することもできる。すなわち、ワッペン本体１０は、従来のワッペンと同じように熱圧着層１２を有しているため、熱アイロンを用いて接着することができる。そのため、粘着シート部材２０を用いて、気に入る位置を模索した後、粘着シート部材２０を剥がして熱圧着することもできる。
【００３３】
＜実施形態２＞
以下、本発明の実施形態２に係る着脱式ワッペン状装飾体Ｂについて、図４を参照して詳細に説明する。この実施形態２に係る着脱式ワッペン状装飾体Ｂは、先の実施形態１に係る着脱式ワッペン状装飾体Ａとは異なる粘着シート部材３０を備えることを特徴とする。なお、同実施形態において、先の実施形態と基本的に同一の構成要素については、同一の符号を付してその説明を簡略化する。
【００３４】
本発明の実施形態２に係る着脱式ワッペン状装飾体Ｂは、図４に示すように、熱圧着層１２を有するワッペン本体１０と、このワッペン本体１０と革製品Ｋの間に設けられる粘着シート部材３０と、を備えている。
【００３５】
この粘着シート部材３０は、熱圧着層１２に粘着可能な第１の粘着層２１と、取付対象に粘着可能な第２の粘着層２２と、第１の粘着層２１と第２の粘着層２２の間に設けられる支持層２３と、第１の粘着層２１と第２の粘着層２２の間に設けられる着色層３１と、支持層２３と着色層３１との間に設けられる接着層３２と、を有している。
【００３６】
この着色層３１は、白色や黒色、有彩色等に着色されている。このように、着色層３１を有していることにより、熱圧着層１２のどの領域に粘着シート部材３０が貼付されているかを目視することできる。そのため、粘着シート部材３０の外縁部の位置を正確に把握することができ、容易に剥がすことができる。
【００３７】
＜実施形態３＞
以下、本発明の実施形態３に係る着脱式ワッペン状装飾体Ｃについて、図５を参照して詳細に説明する。この実施形態３に係る着脱式ワッペン状装飾体Ｃは、有色フィルム４１（着色層の一例）を、先の実施形態１に係る着脱式ワッペン状装飾体Ａの粘着シート部材２０で挟んだ構成を有した粘着シート部材４０を備えることを特徴とする。なお、同実施形態において、先の実施形態と基本的に同一の構成要素については、同一の符号を付してその説明を簡略化する。
【００３８】
本発明の実施形態３に係る着脱式ワッペン状装飾体Ｃは、図５に示すように、熱圧着層１２を有するワッペン本体１０と、このワッペン本体１０と革製品Ｋの間に設けられる粘着シート部材４０と、を備えている。
【００３９】
この粘着シート部材４０は、２枚の粘着シート部材２０と、有色フィルム４１と、を有し、粘着シート２０の間に有色フィルム４１が配置されている。
粘着シート２０の第１の粘着層２１及び第２の粘着層２２を、有色フィルム４１に粘着可能なフィルム用粘着層２４として機能させることにより、有色フィルム４１の上下に粘着されている。
【００４０】
有色フィルム４１としては、粘着シート４０が厚くなり過ぎないよう、厚さ１００μｍ以下の薄く形成された有色フィルム４１を採用することが望ましい。
【００４１】
このように、有色フィルム４１を粘着シート部材２０で挟むことにより、容易に色付の粘着シート４０を製造することができる。
【符号の説明】
【００４２】
１０  ワッペン本体
１１  装飾層
１２  熱圧着層
２０  粘着シート部材
２１  第１の粘着層
２２  第２の粘着層
２３  支持層
２４  フィルム用粘着層
３０  粘着シート部材
３１  着色層
３２  接着層
４０  粘着シート部材
４１  有色フィルム
Ａ，Ｂ，Ｃ  着脱式ワッペン状装飾体
Ｋ  革製品
【図１】
2016153916.tif 000003
【図２】
2016153916.tif 000004
【図３】
2016153916.tif 000005
【図４】
2016153916.tif 000006
【図５】
2016153916.tif 000007